(57)【要約】【課題】大幅な構造簡略化及び軽量化を図ること及び低製造コスト化を図ることが可能な組み立て式保冷又は保温装置を提供する。【解決手段】主として板状断熱材から形成された底面部材と、主として板状断熱材から形成された複数の側面部材と、主として板状断熱材から形成された上面部材との対応する辺を互いに嵌合して、分解可能に組み立てられた直方体形状のボックス本体と、ボックス本体を内面に沿って収納し外側に拡がる力を抑えて組み立てた状態に保持する外被体とを備え、底面部材、複数の側面部材及び上面部材の互いに嵌合する辺には、逆台形形状の凸部及び／又はこの凸部と嵌合する台形形状の切り込み凹部が設けられている。【選択図】図１
2015113160.tif 000002
【特許請求の範囲】
【請求項１】
主として板状断熱材から形成された底面部材と、主として板状断熱材から形成された複数の側面部材と、主として板状断熱材から形成された上面部材との対応する辺を互いに嵌合して、分解可能に組み立てられた直方体形状のボックス本体と、
前記ボックス本体を内面に沿って収納し外側に拡がる力を抑えて組み立てた状態に保持する外被体とを備え、
前記底面部材、前記複数の側面部材及び前記上面部材の互いに嵌合する前記辺には、逆台形形状の凸部及び／又は該凸部と嵌合する台形形状の切り込み凹部が設けられていることを特徴とする組み立て式保冷又は保温装置。
【請求項２】
前記底面部材と、１対の互いに対向する前記側面部材と、前記上面部材とは、内側に折り畳み可能に連結された１枚の板状断熱材から主として形成されており、他の１対の互いに対向する前記側面部材は、互いに独立した板状断熱材から主として形成されていることを特徴とする請求項１に記載の組み立て式保冷又は保温装置。
【請求項３】
前記底面部材、前記複数の側面部材及び前記上面部材は、前記板状断熱材と、該板状断熱材の両面に固着された薄膜状のアルミ断熱層とから形成されており、該アルミ断熱層が前記折り畳みする際の可撓性連結材として機能することを特徴とする請求項２に記載の組み立て式保冷又は保温装置。
【請求項４】
前記外被体は、少なくとも１つの持ち運び用の取っ手を備えていることを特徴とする請求項１から３のいずれか１項に記載の組み立て式保冷又は保温装置。
【請求項５】
前記外被体は、防水性材料から形成され、底面部は熱融着により側面部の下端に固着されていることを特徴とする請求項１から４のいずれか１項に記載の組み立て式保冷又は保温装置。
【発明の詳細な説明】
【技術分野】
【０００１】
本発明は、携帯に便利な組み立て式の簡易な保冷又は保温装置に関する。
【背景技術】
【０００２】
特許文献１には、柔軟な断熱シートを素材としたボックス本体の内表面にそって嵌脱可能に配設された断熱パッドが、側壁パッド体と底壁パッド体とで形成された保冷室の内部に上方から取り出し可能に落とし込まれた内蓋パッド体とで構成された簡易クーラボックスが開示されている。
【先行技術文献】
【特許文献】
【０００３】
【特許文献１】特開平０６−１２２４７５号公報
【発明の概要】
【発明が解決しようとする課題】
【０００４】
特許文献１に開示された簡易クーラボックスによると、底壁パッド体及び内蓋パッド体は断熱パッドの他の部分（側壁パッド体）と係止されておらず、ボックス本体内に押し込まれた際にボックス本体から印加される反発力によってその内部に押し止められている。
【０００５】
さらに、係止強度を維持するために、断熱パッドを厚くし、強度を持たせることが必要となる。
【０００６】
このため、薄い断熱材を用いて断熱パッドの構造を簡略化したり、ボックス本体の構造を簡略化することが極めて困難であり、簡易クーラボックスの構造簡略化及び軽量化を図ること、さらに、低製造コスト化を図ることが難しかった。
【０００７】
従って本発明の目的は、大幅な構造簡略化及び軽量化を図ることが可能な組み立て式保冷又は保温装置を提供することにある。
【０００８】
本発明の他の目的は、低製造コスト化を図ることが可能な組み立て式保冷又は保温装置を提供することにある。
【課題を解決するための手段】
【０００９】
本発明によれば、主として板状断熱材から形成された底面部材と、主として板状断熱材から形成された複数の側面部材と、主として板状断熱材から形成された上面部材との対応する辺を互いに嵌合して、分解可能に組み立てられた直方体形状のボックス本体と、ボックス本体を内面に沿って収納し外側に拡がる力を抑えて組み立てた状態に保持する外被体とを備え、底面部材、複数の側面部材及び上面部材の互いに嵌合する辺には、逆台形形状の凸部及び／又はこの凸部と嵌合する台形形状の切り込み凹部が設けられている組み立て式保冷又は保温装置が提供される。なお、本明細書において、逆台形形状とは、板状断熱材の端縁部に形成された凸部の平面形状であり、外端縁側の辺（下底）が根本側の辺（上底）より長い台形形状である。
【００１０】
底面部材、複数の側面部材及び上面部材の互いに嵌合する辺には、逆台形形状の凸部及び／又はこの凸部と嵌合する台形形状の切り込み凹部が設けられている。このような形状の凸部と切り込み凹部とが嵌合して直方体形状のボックス本体が組み立てられることにより、これら底面部材、複数の側面部材及び上面部材の厚さを薄くした場合にも、嵌合するだけの簡単な構造で充分な組み立て強度を得ることができる。また、外被体が、ボックス本体を内面に沿って収納し、ボックス本体が外側に拡がる力を抑えて組み立てた状態に保持するように構成されているため、この点からもボックス本体の構造を簡略化でき、しかも、外被体自体も簡単な構造とすることができる。また、ボックス本体は、金型を用いることなく、板状断熱材を切断するのみで製造することができる。その結果、大幅な構造簡略化及び軽量化を図ること及び低製造コスト化を図ることが可能となる。
【００１１】
底面部材と、１対の互いに対向する側面部材と、上面部材とは、内側に折り畳み可能に連結された１枚の板状断熱材から主として形成されており、他の１対の互いに対向する側面部材は、互いに独立した板状断熱材から主として形成されていることが好ましい。これにより、部品数が少なく、組み立て及び分解が容易にでき、かつコンパクトに収納することができる。
【００１２】
底面部材、複数の側面部材及び上面部材は、板状断熱材と、板状断熱材の両面に固着された薄膜状のアルミ断熱層とから形成されており、アルミ断熱層が、折り畳みする際の可撓性連結材として機能することが好ましい。これにより、断熱効果を向上させることができると共に、アルミ断熱層を可撓性のヒンジ部材として利用できる。
【００１３】
外被体は、少なくとも１つの持ち運び用の取っ手を備えていることが好ましい。これにより、携帯に便利である。
【００１４】
外被体は、防水性材料から形成され、底面部は熱融着により側面部の下端に固着されていることが好ましい。これにより、水漏れを効果的に防止することができる。
【発明の効果】
【００１５】
本発明によれば、底面部材、複数の側面部材及び上面部材の互いに嵌合する辺には、逆台形形状の凸部及び／又はこの凸部と嵌合する台形形状の切り込み凹部が設けられている。このような形状の凸部と切り込み凹部とが嵌合して直方体形状のボックス本体が組み立てられることにより、これら底面部材、複数の側面部材及び上面部材の厚さを薄くした場合にも、嵌合するだけの簡単な構造で充分な組み立て強度を得ることができる。また、外被体が、ボックス本体を内面に沿って収納し、ボックス本体が外側に拡がる力を抑えて組み立てた状態に保持するように構成されているため、この点からもボックス本体の構造を簡略化でき、しかも、外被体自体も簡単な構造とすることができる。また、ボックス本体は、金型を用いることなく、板状断熱材を切断するのみで製造することができる。その結果、大幅な構造簡略化及び軽量化を図ること及び低製造コスト化を図ることが可能となる。また、ボックス本体内部の密閉度、保冷又は保温時間を向上することができる。
【図面の簡単な説明】
【００１６】
【図１】本発明の一実施形態として、組み立て式保冷又は保温装置の構成を概略的に示す斜視図である。
【図２】図１の実施形態における組み立て式保冷又は保温装置のボックス本体の構成を概略的に示す斜視図である。
【図３】ボックス本体の構成を概略的に示す展開図である。
【図４】逆台形形状の凸部、この凸部に嵌合する台形形状の切り込み凹部及び板状断熱材の表面状態を示す拡大図である。
【図５】ボックス本体の折り畳み状態を示す図である。
【図６】外被体の他の構成例を示す斜視図である。
【発明を実施するための形態】
【００１７】
以下、本発明に係る組み立て式保冷又は保温装置の実施形態について、図を参照して説明する。
【００１８】
図１は本発明の一実施形態における組み立て式保冷又は保温装置１００の構成を概略的に示しており、同図においては、ボックス本体１０が組み立てた状態で外被体２０に収納されている形態が示されている。図２は図１に示した組み立て式保冷又は保温装置１００のボックス本体１０の構成を概略的に示している。図３はボックス本体１０の分解、展開図であり、同図において、破線は折り曲げ用切れ目を示している。図４は逆台形形状の凸部ａ、この凸部ａに嵌合する台形形状の切り込み凹部ｂの構成及び板状断熱材の表面状態を示している。図５はボックス本体１０の分解、折り畳み状態を示している。
【００１９】
図１〜図５に示すように、本実施形態における組み立て式保冷又は保温装置１００は、ボックス本体１０と、外被体２０とを備えている。ボックス本体１０は、外被体２０にその内面に沿って収納され、この外被体２０により外側に拡がる力が抑えられることにより組み立て状態で保持されている。
【００２０】
ボックス本体１０は、発泡率が例えば３０％程度の発泡ポリエチレン又は発泡ウレタン等の発泡樹脂による板状断熱材から主として形成された底面部材１１と、同様の板状断熱材から主として形成された複数の側面部材１２、１３、１４及び１５と、同様の板状断熱材から主として形成された上面部材（蓋部材）１６とを備えている。底面部材１１、複数の側面部材１２、１３、１４及び１５、並びに上面部材１６の互いに嵌合する辺には、逆台形形状の凸部ａ及び／又はこの凸部ａに嵌合する台形形状の切り込み凹部ｂが設けられている。具体的には、底面部材１１の縁端を形成する２つの辺の各々に１つの切り込み凹部ｂが設けられている。後側の側面部材１２の縁端を形成する２つの辺の各々に１つの凸部ａ及び２つの切り込み凹部ｂが設けられている。前側の側面部材１３の縁端を形成する３つの辺のうちの横方向の２つの辺の各々に１つの凸部ａ及び２つの切り込み凹部ｂが設けられており、３つの辺のうちの上方向の１つの辺に１つの切り込み凹部ｂが設けられている。左側の側面部材１４の縁端を形成する４つの辺のうちの横方向の２つの辺の各々に２つの凸部ａ及び１つの切り込み凹部ｂが設けられており、４つの辺のうちの上方向の１つの辺に１つの切り込み凹部ｂが設けられており、４つの辺のうちの下方向の１つの辺に１つの凸部ａが設けられている。右側の側面部材１５の縁端を形成する４つの辺のうちの横方向の２つの辺の各々に２つの凸部ａ及び１つの切り込み凹部ｂが設けられており、４つの辺のうちの上方向の１つの辺に１つの切り込み凹部ｂが設けられており、４つの辺のうちの下方向の１つの辺に１つの凸部ａが設けられている。さらに、上面部材１６の縁端を形成する３つの辺のうちの横方向の２つの辺の各々に１つの凸部ａが設けられており、３つの辺のうちの残りの１つの辺に１つの凸部ａが設けられている。このボックス本体１０は、１つの辺の凸部ａとこれに対応する辺の切り込み凹部ｂとが嵌合することにより組み立てられ、かつ分解可能に構成されている。逆台形形状の凸部ａ及びこの凸部ａに嵌合する台形形状の切り込み凹部ｂを用いることで、互いに嵌合した後、その部分が外れにくい構造となる。なお、逆台形形状の凸部ａ及び台形形状の切り込み凹部ｂの寸法、台形斜辺の傾斜角、及び１つの辺に設ける数等は、ボックス本体１０の大きさによって、適宜に設計することができる。
【００２１】
本実施形態において、底面部材１１と、対向する１対の２つの側面部材１２及び１３（前側の側面部材１２及び後側の側面部材１３）と、上面部材１６とは、外面に折り曲げ用切れ目を設け、内側に折り畳み可能に連結された１枚の板状断熱材から主として形成されている。これにより、ボックス本体１０は、図３に示すように、３つのパーツから構成されることができ、部品数が少なく、組み立て及び分解が容易にでき、かつコンパクトに収納することができる。また、上面部材１６と側面部材１２とを連結する可撓性連結材は、上面部材１６の開閉ヒンジ構造となるため、上面部材１６を自在に開閉することが可能となる。上面部材１６の開閉ヒンジ構造と対向する側の凸部ａの端縁部には、指を挿入
することができる凹形の引っ掛け部ｃが形成されている。また、他の１対の互いに対向する側面部材１４及び１５は、互いに独立した板状断熱材から主として形成され、同一の形状を有している。
【００２２】
本実施形態において、底面部材１１、複数の側面部材１２、１３、１４及び１５、並びに上面部材１６は、板状断熱材と、この板状断熱材の両面に、例えば熱融着又は接着剤等によって固着された薄膜状の耐強度性及び断熱性に優れたアルミフィルム等からなるアルミ断熱層とを備えている。このアルミ断熱層は、折り畳みする際の可撓性連結材として機能することが好ましい。これにより、断熱効果を向上させることができると共に、アルミ断熱層を可撓性のヒンジ部材として利用できる。本実施形態において、アルミ断熱層は、図４に示すように、エンボス加工されている。アルミフィルムの厚さは、例えば約３０μｍであり、エンボスの深さは、例えば約２ｍｍ、エンボスのマス目は、例えば約５ｍｍである。
【００２３】
図５は、ボックス本体１０の底面部材１１と、対向する１対の側面部材１２及び１３と、上面部材１６とからなるパーツの折り畳み状態を示している。同図に示すように、組み立て式保冷又は保温装置１００を使用しない場合は、底面部材１１と、互いに対向する（前側及び後側の）１対の側面部材１２及び１３と、上面部材１６とを、折り畳むことができ、さらに残りの互いに対向する（左側及び右側の）１対の側面部材１４及び１５を積み重ねることで、コンパクトに収納することができる。
【００２４】
外被体２０は、ボックス本体１０をその内面に沿って収納し、ボックス本体１０が外側に拡がる力を抑えて組み立てた状態に保持するためのものであり、例えば、防水布、樹脂シート、又はその他の防水性材料を用いて上面に開口部を有する有底箱形形状とすることができるように形成されており、底面部は樹脂シートの場合は熱融着により側面部の下端に固着されている。また、外被体２０は、持ち運び用の取っ手２１が設けられている。なお、外被体２０は、１つの持ち運び用の取っ手２１を有することに限定されるものではない。図６に示すように、２つの持ち運び用の取っ手２１ａ及び２１ｂを設けても良い。この場合、バランスよく持ち運ぶことができる。
【００２５】
本実施形態の組み立て式保冷又は保温装置１００を使用する際には、まず、ボックス本体１０を組み立てる。そして、ボックス本体１０を外被体２０に入れる。ボックス本体１０を組み立てる際は、まず、連結されている底面部材１１と、互いに対向する１対の側面部材１２及び１３と、上面部材１６とを角筒状に組み上げて、次に、左右の側面部材１４及び１５を両側からそれぞれはめ込む。その際に、逆台形形状の凸部ａと台形形状の切り込み凹部ｂとをそれぞれ互いに嵌合させる。これにより、ボックス本体１０が組み立てた状態となり、このボックス本体１０を外被体２０内にその内面に沿って挿入する。
【００２６】
上述したように、本実施形態における組み立て式保冷又は保温装置１００は、ボックス本体１０と、ボックス本体１０を内面に沿って収納し、ボックス本体１０が外側に拡がる力を抑えて組み立てた状態に保持するように構成された外被体２０とを備えている。ボックス本体１０の底面部材１１、複数の側面部材１２、１３、１４及び１５、並びに上面部材１６の互いに嵌合する辺には、逆台形形状の凸部ａ及び／又はこの凸部ａと嵌合する台形形状の切り込み凹部ｂが設けられて、互いに嵌合して、かつ分解可能に構成されている。
【００２７】
このような形状の凸部ａと切り込み凹部ｂとが嵌合して直方体形状のボックス本体１０が組み立てられることにより、これら底面部材１１、複数の側面部材１２、１３、１４及び１５、並びに上面部材１６の厚さを薄くした場合にも、嵌合するだけの簡単な構造で充分な組み立て強度を得ることができる。しかも、この様な形状による嵌合は、嵌合部の密封度を向上させ、保冷性能及び保温性能を高めることができる。また、外被体２０が、ボックス本体１０を内面に沿って収納し、ボックス本体が外側に拡がる力を抑えて組み立てた状態に保持するように構成されているため、この点からもボックス本体１０の構造を簡略化でき、しかも、外被体２０自体も簡単な構造とすることができる。また、ボックス本体１０は、金型を用いることなく、板状断熱材やアルミ断熱層を切断するのみで製造することができる。その結果、大幅な構造簡略化及び軽量化を図ること及び低製造コスト化を図ることが可能となる。また、ボックス本体１０内部の密閉度、保冷又は保温時間を向上することができる。
【００２８】
底面部材１１と、互いに対向する１対の側面部材１２及び１３と、上面部材１６とは、内側に折り畳み可能に連結された１枚の板状断熱材から主として形成されており、他の１対の互いに対向する側面部材１４及び１５は、互いに独立した板状断熱材から主として形成されているので、部品数が少なく、組み立て及び分解が容易にでき、かつ不使用時、ボックス本体１０をより小さく折畳み、コンパクトに収納することができ、携帯に便利である。
【００２９】
また、板状断熱材の両面に薄膜状のアルミ断熱層が形成されており、アルミ断熱層は折り畳みする際の可撓性連結材として機能することで、断熱効果が向上することができると共に、アルミ断熱層を可撓性のヒンジ部材として利用できる。
【００３０】
また、外被体２０には、少なくとも１つの持ち運び用の取っ手２１（又は２１ａ及び２１ｂ）が設けられていることで、携帯に便利である。
【００３１】
また、外被体２０は、防水性材料から形成され、底面部は熱融着により側面部の下端に固着されていることで、水漏れを防止することができる。
【００３２】
なお、以上述べた実施形態の組み立て式保冷又は保温装置１００において、底面部材１１と、互いに対向する１対の側面部材１２及び１３と、上面部材１６とは、内側に折り畳み可能に連結された１枚の板状断熱材から主として形成されている構成としたが、本発明はこれに限定されるものではない。場合によっては、それぞれ個別に形成されても良い。
【００３３】
また、上述した実施形態の組み立て式保冷又は保温装置１００において、外被体２０は、上部に開口している構成例を説明したが、本発明はこれに限定されるものではない。外被体２０の上部に蓋を設けても良い。
【００３４】
また、上述した実施形態の組み立て式保冷又は保温装置１００において、外被体２０は、持ち運び用の取っ手２１（又は、取っ手２１ａ及び２１ｂ）が設けられている構成例を説明したが、本発明はこれに限定されるものではない。場合によっては、持ち運び用の取っ手を設けなくても良い。
【００３５】
さらに、上述した実施形態の組み立て式保冷又は保温装置１００において、板状断熱材の両面に薄膜状のアルミ断熱層が形成されており、アルミ断熱層は可撓性連結材として機能する構成例を説明したが、本発明はこれに限定されるものではない。アルミ断熱層とは別個に連結部に可撓性部材を設けるようにしても良い。もちろん、アルミ断熱層を板状断熱材の片面のみに設けても良い。
【００３６】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【産業上の利用可能性】
【００３７】
本発明は、例えば飲料や食材等を保蔵及び運搬時において、保冷又は保温ができる簡易な保冷又は保温装置として利用できる。
【符号の説明】
【００３８】
１０  ボックス本体
１１  底面部材
１２、１３、１４、１５  側面部材
１６  上面部材
２０、２０Ａ  外被体
２１、２１ａ、２１ｂ  取っ手
１００  組み立て式保冷又は保温装置
ａ  凸部
ｂ  切り込み凹部
ｃ  引っ掛け部
【図１】
2015113160.tif 000003
【図２】
2015113160.tif 000004
【図３】
2015113160.tif 000005
【図４】
2015113160.tif 000006
【図５】
2015113160.tif 000007
【図６】
2015113160.tif 000008